(57)【特許請求の範囲】
【請求項１】
側板に開設された嵌合孔に嵌入されるピンが嵌合係止されるピン孔と、棚板の下面が載置される棚載置部と、この棚載置部の外側から上方に延設されたストッパー片部と、を有して構成されてなる棚受け具において、上記ストッパー片部の上部に内方向に延び上記棚板の上縁部に係止する係止片部を連設すると共に、該係止片部には、該係止片部を係合解除方向へ押圧可能な手掛かり部が形成されていることを特徴とする棚受け具。
【請求項２】
前記手掛かり部は、前記係止片部の上方に連設されていることを特徴とする請求項１に記載の棚受け具。
【請求項３】
前記手掛かり部は、前記係止片部の前方に連設されていることを特徴とする請求項１に記載の棚受け具。
【請求項４】
前記手掛かり部は、前記係止片部の一側方または両側に連設されていることを特徴とする請求項１に記載の棚受け具。
【請求項５】
前記ピンを、側板に開設された嵌合孔に嵌入される細径部と棚受け具のピン孔に嵌合される太径部とで構成し、該太径部と細径部の境界部に、太径部よりも大径の鍔片部を連設したことを特徴とする請求項１乃至請求項４のいずれかに記載の棚受け具。
【請求項６】
前記ピンを、側板に開設された嵌合孔に嵌入される細径部と棚受け具の断面形状が略凸状のピン孔に嵌合される太径部とで構成し、該太径部は、上記ピン孔の太径孔部に嵌合される太軸部と、ピン孔の細径孔部に嵌合される細軸部と、で形成されていることを特徴とする請求項１乃至請求項４のいずれかに記載の棚受け具。
【請求項７】
前記ピンの太径部が挿入されるピン孔の一側縁部に、縮径方向に突出する堰部を形成したことを特徴とする請求項１乃至請求項４のいずれかに記載の棚受け具。
【発明の詳細な説明】
【０００１】
【発明の属する技術分野】
この発明は、吊戸棚や床置聞仕切りユニットなどの家具の棚板を架設するために用いられる棚受け具に係り、特に、両面開閉式扉を有する家具に好適な棚受け具に関する。
【０００２】
【従来技術】
従来の吊戸棚等の家具において使用される棚受け具としては、特開平１−１７７９３３号公報に示されているものや特許第２７７８９３４号公報に示すものが公知である。
【０００３】
そして、これらの公報に示されている各棚受け具は、その基本的な構造として、家具の両側板に開設された嵌合孔に嵌入されるピンを嵌合係止するピン孔と、棚板の下面が載置される棚載置部と、この棚載置部の外側から上方に延設されたストッパー片部と、から構成されており、予め上記ピンを上記各棚受け具のピン孔に挿入した後、このピンを上記家具の両側板の対向する位置であって、上記両側板の両縁部上下方向に沿って所定問隔毎に開設され、同じ高さ位置に開設された各嵌合孔に夫々嵌入し、各棚受け具のストッパー片部で上記棚板の前縁部を衝合させることで、上記棚板を所望の高さ位置に架設し、かつ、棚板が脱落しないように構成されている。
【０００４】
しかしながら、上記従来の各棚受け具を用いた場合であっても、現状の問題として、棚板が搬送中に外れないように、家具の側板と棚板との間に段ボールやクッション材を挿入しているのが現状であり、このため、家具以外の余計な部品が必要となることから、搬送コストが嵩み、作業工数も増加して煩雑となり、しかも、これら余計な部品は、家具設置後は不要なゴミとなるものであるため、焼却廃棄等の手間も掛かり環境問題の対策も必要となる、という課題を有していた。また、上記余計な部品を挿入する手段では、完全な棚板暴れ防止の対策とはなっていない、という問題を有していた。
【０００５】
【従来技術の課題】
このような課題を解決する手段としては、上記ストッパー片部の上端部を内方向に延設してフック状の係止片部を形成し、該係止片部を棚板の上縁部に係合させることで、棚板を上下に挟持して棚板の暴れを防止する手段も考えられるが、このような構成では、棚板の取付位置を変更する場合には、上記係止片部と棚板上縁部との係合状態を解除しなければならず、このためには、ドライバー等の工具が必要となることから、かかる作業が非常に煩雑であり、しかも、工具により棚板が傷付いたり打痕が残る等の課題があるため、根本的な解決策には到っていないのが現状である。
【０００６】
この発明は、かかる現状に鑑み創案されたものであって、その目的とするところは、段ボールやクッション材を用いることなく搬送中における棚板の移動や暴れを確実に防止することができると共に、家具の設置時に棚板の取付位置を変更する場合には、工具を用いることなく棚受け具から棚板を容易に取り外すことができる棚受け具を提供しようとするものてある。
【０００７】
【課題を解決するための手段】
上記目的を達成するため、この発明にあっては、側板に開設された嵌合孔に嵌入されるピンが嵌合係止されるピン孔と、棚板の下面が載置される棚載置部と、この棚載置部の外側から上方に延設されたストッパー片部と、を有して構成されてなる棚受け具を技術的前提とし、上記ストッパー片部の上部に内方向に延び上記棚板の上縁部に係止する係止片部を連設すると共に、該係止片部の上方或は側方には、該係止片部を係合解除方向へ押圧可能な手掛かり部を形成して構成したことを特徴とするものである。
【０００８】
そして、この発明にあっては、上記手掛かり部を、上記係止片部の上方または前方或は一側方若しくは両側に連設するのが望ましい。
【０００９】
さらに、この発明にあっては、上記ピンが側板の嵌合孔及び／または棚受け具のピン孔から不用意に抜けないようにするため、上記ピンを、側板に開設された嵌合孔に嵌入される細径部と棚受け具のピン孔に嵌合される太径部とで構成し、該太径部と細径部の境界部に、太径部よりも大径の鍔片部を連設して構成してもよい。
【００１０】
勿論、この発明にあっては、上記不用意な抜け落ちを防止するため、上記ピンを、側板に開設された嵌合孔に嵌入される細径部と棚受け具の断面形状が略凸状のピン孔に嵌合される太径部とで構成し、該太径部を、上記ピン孔の太径孔部に嵌合される太軸部と、ピン孔の細径孔部に嵌合される細軸部と、で形成してもよい。
【００１１】
さらに、この発明にあっては、上記不用意な抜け落ちを防止するため、上記ピンの太径部が挿入されるピン孔の一側縁部に、縮径方向に突出する堰部を形成して構成してもよい。
【００１２】
【発明の実施の形態】
以下、添付図面に示す発明の実施の一形態例に基き、この発明を詳細に説明する。
【００１３】
図１乃至図５に示すように、この形態例に係る棚受け具Ａは、家具の両側板（図示せず）に開設された嵌合孔に嵌入されるピン１２が嵌合係止されるピン孔１３と、棚板Ｂの下面が載置される棚載置部１５と、この棚載置部１５の外側から上方に延設されたストッパー片部１６と、該ストッパー片部１６の上端部から内方向（棚載置部１５方向）へと延設された係止片部１８と、該係止片部１８の上部に延設された手掛かり部１９と、上記棚載置部１５の縁部から上方に延設されたガイド片部１７，１７と、から構成されている。
【００１４】
家具の両側板に開設される嵌合孔は、特に図示はしないが、各側板の両縁部上下方向に沿って所定問隔毎に開設されていると共に、該両側板の各嵌合孔は、同一高さ位置の相対向する部分に開設されている。
【００１５】
ピン１２は、上記嵌合孔に嵌入される細径部１２ｂ（図４及び図５参照）と、棚受け具Ａのピン孔１３に嵌入される太径部１２ａと、から構成されている。
【００１６】
ピン孔１３は、上記ピン１２の太径部１２ａより径が若干小さく形成されており、正面形状が横倒略Ｃ字状に形成されている。このようにピン孔１３の一部に切り欠きを形成することで、棚載置部１５とストッパ片部１６との連接部分の集中的な変形応力が緩和されるので、棚板Ｂを外し易くなると共に、棚受け具Ａの破損を有効に防止することができる。勿論、この発明にあってはこの形状に限定されるものではなく、ピン孔１３を円筒形状に形成してもよい。
【００１７】
棚載置部１５は、載置面積が比較的大きく形成された保持面部１５ａと、この保持面部１５と一体に形成され該保持面部１５ａを補強する梁部１５ｂと、から構成されており、該梁部１５ｂの一端部は上記保持面部１５ａと面一となるように延設されて、平面形状が図３に示すように、横倒略凸状に形成されて、該梁部１５ｂにおいても棚板Ｂの底面部を載置できるように構成されており、より安定的に棚板Ｂを保持できるように構成されている。
【００１８】
ストッパー片部１６は、棚板Ｂの前後縁部と当接するもので、その上端部には、やや内方向ヘフック状の上記係止片部１８が延設されており、該係止片部１８は、上記棚板Ｂの前後縁部に係止されて、棚板Ｂが搬送中であってガタ付かないように、その移動を強固に規制するように構成されている。即ち、該係止片部１８の係止面部と上記棚載置部１５との間隔寸法（ストッパー片部１６の高さ寸法）は、棚板Ｂの幅寸法（高さ寸法）と略同一となるように構成されている。勿論、上記棚受け具Ａは、前記棚板の左右（前後）に配設されるため、上記ストッパー片部１６は、扉が片開き式の場合は扉側と背板側に形成され、扉が両開き式の場合には両扉側に配設される。
【００１９】
手掛かり部１９は、例えば、親指と人指し指で摘める大きさと形状で構成されており、この形態例では、上記係止片部１８の上部に連設されている。勿論、この発明にあっては、上記手掛かり部を係止片部１８の一側、または、図６に示すように、両側に手掛り部１９Ａ，１９Ａに延設し、或は、図７に示すように、上記係止片部１８の前面側に手掛り部１９Ｂに突設させて形成してもよい。また、上記形態例における手掛り部１９の内側面を、図８に示すように、円弧状に形成すると共にその上端部内側を膨出させて指掛け部１９ａを形成し、或は、図９に示すように、手掛り部１９の内側面に凹凸の滑り止め１９ｂを形成して手掛りをより確実に行うことができるように構成してもよい。尚、図１乃至図５中符号１４は、撓み変形可能で図２実線で示す直立位置まで復動可能なストッパー片部１６の補強梁部であり、該補強梁部１４には、前記梁部１５ｂの他端部が合流して底面からみて略Ｔ字状に一体化され、その強度が強化されるように構成されている。
【００２０】
また、上記ガイド片部１７，１７は、棚載置部１５の側板側縁部から上方に延設され、正面形状が略台形状で、側部形状がくさび状に形成されており、その棚載置部１５側の傾斜面表面には、例えば山形波状の係止突起等が連続して形成されている。
【００２１】
それ故、棚板Ｂの側部は、棚板Ｂを棚受け具Ａに取り付ける場合には、上記ガイド片部１７，１７によって幅方向（左右方向）のガタツキが生じない位置に案内され、棚板Ｂの装着後は、ガイド片部１７，１７の係止突起等が棚板Ｂの側部に摩擦係合するので、搬送中の棚板Ｂの家具幅方向への移動を規制するように作用する。
【００２２】
次に、このように構成された棚受け具Ａを用いて棚坂を所望の高さ位置にセットする場合を説明すると、先ず、棚受け具Ａのピン孔１３に上記ピン１２の太径部１２ａに予め嵌入しておき、次に、これら各ピン１２の細径部１２ｂを、家具の両側板の同一の高さ位置に開設された各嵌合孔に嵌入する。このとき、各棚受け具Ａのストッパー片部１６が、扉と背坂（または扉）と対面するように、上記各棚受け具Ａを上記ピン１２の太径部１２ａに嵌入し、かつ、各棚受け具Ａの係止片部１７，１７が、側板と対面するように、上記各棚受け具Ａを上記ピン１２の太径部１２ａに嵌入する。
【００２３】
このように、各棚受け具Ａを、家具の両側板にセットした後、棚板Ｂを上方から各棚受け具Ａの棚載置部１５方向へ嵌入する。
【００２４】
このようにして、棚板Ｂを棚受け具Ａの上方から落し込むと、棚板Ｂの下縁部がフック状の係止片部１８の傾斜面１８ａに沿ってストッパー片部１６を図２仮想線方向へ弾性撓み変形するように押圧し、この後、棚板Ｂの上縁部が上記係止片部１８を乗り越えた時点で、上記ストッパー片部１６は、上記直立係合位置まで復動し、該係止片部１８が棚板Ｂを係合固定するので、装着作業も工具を用いることなく簡単に行うことができる。
【００２５】
そして、上記棚板Ｂの底面が各棚受け具Ａの棚載置部１５に載置され、かつ、その前縁部と後縁部が各ストッパー片部１６の間に挟持されると共に、その両側縁都がガイド片部１７，１７の係止突起等と摩擦係合し、各棚受け具Ａに外力が作用しても、棚板Ｂが各棚受け具Ａから脱落するのを確実に防止することができる。
【００２６】
また、上記係止片部１８に上記係合状態を、例えば、棚板Ｂの取付位置を変更するときのように解除する場合には、先ず、家具の手前側に配設されている棚受け具Ａの上記手掛かり片部１９を親指と人指し指で摘み、ストッパー片部１６を手前側（図２左側）方向に引くと、該ストッパー片部１６は図２実線で示す直立係合位置から図２仮想線で示す係合解除位置まで撓むため、この状態を保持したまま棚板Ｂを上方向に持ち上げることで、工具を用いることなく容易に棚板Ｂを棚受け具Ａから取り外すことができる。
【００２７】
尚、この発明にあっては、上記ピン１２が側板の嵌合孔及び／または棚受け具Ａのピン孔１３から不用意に抜けないようにするため、上記ピン１２を、図１０に示すように、側板に開設された嵌合孔に嵌入される細径部１２ａと棚受け具Ａのピン孔１３に嵌合される太径部１２ｂとで構成し、該太径部１２ｂと細径部１２ａの境界部に、太径部１２ｂよりも大径の鍔片部１２ｄを連設して構成してもよい。
【００２８】
また、この発明にあっては、上記不用意な抜け落ちを防止するため、上記構成に代えて、ピン１２を、図１１に示すように、側板に開設された嵌合孔に嵌入される細径部１２ａと棚受け具Ａの断面形状が略凸状のピン孔１３に嵌合される太径部とで構成し、該太径部を、上記ピン孔１３の太径孔部１３ａに嵌合される太軸部１２ｂと、ピン孔１３の細径孔部１３ｂに嵌合される細軸部１３ｂと、で形成してもよい。
【００２９】
さらに、この発明にあっては、上記不用意な抜け落ちを防止するため、上記各構成に代えて、ピン１２の太径部１２ｂが挿入されるピン孔１３の一側縁部に、図１２に示すように、縮径方向に突出する堰部１３ｃをリング状に形成してストッパとして構成してもよい。
【００３０】
【発明の効果】
この発明に係る棚受け具は、以上説明したように、側板に開設された嵌合孔に嵌入されるピンが嵌合係止されるピン孔と、棚板の下面が載置される棚載置部と、この棚載置部の外側から上方に延設されたストッパー片部と、を有し、上記ストッパー片部の上部に内方向に延び上記棚板の上縁部に係止する係止片部を連設すると共に、該係止片部の上方或は側方には、該係止片部を係合解除方向へ押圧可能な手掛かり部を形成して構成したので、段ボールやクッション材を用いることなく搬送中における棚板の移動やガタツキを確実に防止することができると共に、家具の設置時に棚板の取付位置を変更する場合には、工具を用いることなく棚受け具から棚板を容易に取り外すことができる。
【００３１】
また、請求項２乃至請求項４に記載の発明にあっては、上記手掛かり部を、上記係止片部の上方または前方或は一側方若しくは両側に連設して構成したので、小さな力で容易に棚板を外すことができる。
【００３２】
さらに、請求項５乃至請求項７に記載の発明にあっては、上記ピンが側板の嵌合孔及び／または棚受け具のピン孔から不用意に抜け落ちない等、幾多の優れた効果を奏する。
【図面の簡単な説明】
【図１】この発明の実施の一形態例に係る棚受け具の構成を示す斜視図である。
【図２】同棚受け具の側面図である。
【図３】同棚受け具の平面図である。
【図４】同棚受け具の正面図である。
【図５】同棚受け具の図３Ａ−Ａ線断面図である。
【図６】同棚受け具における手掛り部の他例を示す説明図である。
【図７】同棚受け具における手掛り部のさらに他例を示す説明図である。
【図８】同棚受け具における手掛り部の変形例を示す説明図である。
【図９】同棚受け具における手掛り部の他の変形例を示す説明図である。
【図１０】同棚受け具に装着されるピンの変形例を示す斜視図である。
【図１１】同棚受け具に装着されるピンの他の変形例及び該ピンに好適なピン孔を有する棚受け具の構成を示す分解斜視図である。
【図１２】同棚受け具のピン孔の他の変形例を示す部分説明図である。
【符号の説明】
Ａ  棚受け具
Ｂ  棚板
１２  ピン
１３  ピン孔
１５  棚載置部
１６ストッパー片部
１８  係止片部
１９，１９Ａ，１９Ｂ  手掛かり部
【図１】
0004395634.tif 000002
【図２】
0004395634.tif 000003
【図３】
0004395634.tif 000004
【図４】
0004395634.tif 000005
【図５】
0004395634.tif 000006
【図６】
0004395634.tif 000007
【図７】
0004395634.tif 000008
【図８】
0004395634.tif 000009
【図９】
0004395634.tif 000010
【図１０】
0004395634.tif 000011
【図１１】
0004395634.tif 000012
【図１２】
0004395634.tif 000013